(57)【要約】【課題】高価な金型の製作を最小限にしてイニシャルコストを低減でき、独立部品点数を少なくして生産性を向上できるとともに、部品の過不足が生にくいクリップ付きハンガー及びその製造方法を提供できるようにする。【解決手段】中央部にフックが設けられ、左右に形成されたアーム部分の両端部にクリップが配設されたクリップ付きハンガーであって、クリップが一対のクリップ片で形成されており、一方のクリップ片がアーム部分と一体形成されるとともに、他方のクリップ片が前記一方のクリップ片に連結された状態で成形されたクリップ片とで構成した。【選択図】    図２
2004167141.tif 000002
【特許請求の範囲】
【請求項１】
中央部にフックが設けられ、左右に形成されたアーム部分の両端部にクリップが配設されたクリップ付きハンガーであって、クリップが一対のクリップ片で形成されており、一方のクリップ片がアーム部分と一体形成されるとともに、他方のクリップ片が前記一方のクリップ片に連結片で連結された状態で成形されたクリップ片であることを特徴とするクリップ付きハンガー。
【請求項２】
クリップが、一端に挟着部を形成したクリップ片を向かい合わせに対峙させ、両クリップ片に亙って“Ｕ”字形に折り返されて形成された合成樹脂製バネを装着し、該合成樹脂製バネの弾性力により両クリップ片の挟着部同士が圧接する方向に弾性付勢してなる検針機対応の合成樹脂製クリップであって、合成樹脂製バネの先端内面部分に掛合部を形成し、該掛合部が掛合する受け止め部と、受け止め部より折り返えし部側の合成樹脂製バネ部分を被う飛散防止部とをクリップ片に設けるとともに、受け止め部とこれに対面する飛散防止部の先端側部分との間にバネの先端部分が挿入される空間を形成し、受け止め部の飛散防止部側先端部と飛散防止部の受け止め部側先端部とがクリップ片を成形する金型の摺動方向に直交する方向で重なり合わないように形成されてなる請求項１に記載のクリップ付きハンガー。
【請求項３】
中央のフック部分から左右に延出したアーム部分の先端部分にクリップの一方のクリップ片が一体に形成するとともに、その外方に他方のクリップ片が連結片で連結された状態でハンガー素材を形成し、該ハンガー素材の他方のクリップ片を一方のクリップ片に対峙させてクリップを形成するようにしたことを特徴とするクリップ付きハンガーの製造方法。
【発明の詳細な説明】
【０００１】
【産業上の利用分野】
本発明は主としてクリップ付きハンガーに関するものである。
【０００２】
【従来の技術】
衣服等を挟持するクリップを備えた一般的なハンガーは、水平に保持されるハンガー部材の両端寄り部に金属製の“Ｕ”字形をしたバネでクリップ片の挟着部同士が圧接する方向に弾性付勢してなる合成樹脂製クリップを装着し、この合成樹脂製クリップに衣服等を吊持するようにしている。
【０００３】
ところで、衣服等を製造者から商社あるいは小売店に納品する場合にも上述のハンガーに衣服等を吊持した状態で納品するのであるが、昨今製造物責任法、所謂“ＰＬ法”により衣服等の縫製にも金属探知器により針等が残留していないのを確認してから納品されるようになっており、金属製の“Ｕ”字形をしたバネでクリップ片の挟着部同士が圧接する方向に弾性付勢してなる合成樹脂製クリップではこの金属製バネに金属探知器が反応してしまう。
【０００４】
そこでこうした金属探知器に対応するために本発明者は本発明に先立って、高密度カーボネイト樹脂を主体とした複合材料により“Ｕ”字形に折り返した弾性を有する合成樹脂製バネを合成樹脂製クリップに装着するとともに、合成樹脂製バネが破損した時にその破片が飛散して操作者が傷つくのを防止するようにして安全性を考慮したクリップをハンガーに装着したもの（特許文献１）を提案している。
【０００５】
【特許文献１】特許第２９５６９５６号（第１頁、図１）
【０００６】
ところが、先の提案にかかるクリップ付きハンガーでは、ハンガー本体部分とクリップ部分とをそれぞれ個別に製作しなくてはならず、この製作のための高価な金型も複数製作しなくてはならず、これがために、イニシャルコストが高くなるという問題があった。
また、クリップ付きハンガーの部品が複数の金型から生産されることから、部品点数も多くなる。
【０００７】
更に部品点数が多くなる分、組みつけに手間がかかり、製造コストが高くなってしまうという問題があった。
加えて、多くの部品点数で構成されると、部品が１つでも不足した場合、生産を停止しなくてはならないという問題があった。
そこで本発明は上記問題点に鑑みて提案されたもので、高価な金型の製作を最小限にしてイニシャルコストを低減でき、独立部品点数を少なくして生産性を向上できるとともに、部品の過不足が生じないクリップ付きハンガー及びその製造方法を提供できるようにすることを目的とするものである。
【０００８】
【課題を解決するための手段】
上記目的を達成するために本発明にかかるクリップ付きハンガーは、中央部にフックが設けられ、左右に形成されたアーム部分の両端部にクリップが配設されたクリップ付きハンガーであって、クリップが一対のクリップ片で形成されており、一方のクリップ片がアーム部分と一体形成されるとともに、他方のクリップ片が前記一方のクリップ片に連結された状態で成形されたクリップ片であることを特徴とするものである。
【０００９】
また、本発明にかかるクリップ付きハンガーでは、クリップが、一端に挟着部を形成したクリップ片を向かい合わせに対峙させ、両クリップ片に亙って“Ｕ”字形に折り返されて形成された合成樹脂製バネを装着し、該合成樹脂製バネの弾性力により両クリップ片の挟着部同士が圧接する方向に弾性付勢してなる検針機対応の合成樹脂製クリップであって、合成樹脂製バネの先端内面部分に掛合部を形成し、該掛合部が掛合する受け止め部と、受け止め部より折り返えし部側の合成樹脂製バネ部分を被う飛散防止部とをクリップ片に設けるとともに、受け止め部とこれに対面する飛散防止部の先端側部分との間にバネの先端部分が挿入される空間を形成し、受け止め部の飛散防止部側先端部と飛散防止部の受け止め部側先端部とがクリップ片を成形する金型の摺動方向に直交する方向で重なり合わないように形成されたことも特徴とするものである。
【００１０】
次に、本発明にかかるクリップつきハンガーの製造方法では、  中央のフック部分から左右に延出したアーム部分の先端部分にクリップの一方のクリップ片が一体に形成するとともに、その外方に他方のクリップ片が連結片で連結された状態でハンガー素材を形成し、該ハンガー素材の他方のクリップ片を一方のクリップ片に対峙させてクリップを形成するようにしたことを特徴とするものである。
【００１１】
【実施例】
以下本発明にかかるクリップ付きハンガーを図面に基づいて説明する。図１はクリップ付きハンガーの斜視図であって、図中符号１はクリップ付きハンガーを全体的に示す。
このクリップ付きハンガー１は、クェッションマークの形状に形成されたフック部分２と、フック部分２の下方で略一直線状に左右に延出されたアーム部分３と、アーム部分３の両端部分に配設されたクリップ４・４とを備えてなる。
【００１２】
図２に示すように、上記フック部分２、アーム部分３及び、後述するクリップ４の一方のクリップ片４ａは合成樹脂で一体に形成され、他方のクリップ片４ｂは一方のクリップ片４ａの外方に並べられ、細い連結片５で連結された状態で成形されている。
次に、クリップ４について説明する。
このクリップ４は主として衣類を吊持するために使用されるもので、合成樹脂でクリップ片４ａ・４ｂは支点１３部分で異なる略同形状に形成されており、両クリップ片４ａ・４ｂを向かい合わせに一対対峙させ、この両クリップ片４ａ・４ｂ間に亙って合成樹脂製バネ６を装着してなるものである。
【００１３】
そして、図３に示すように側面視において、アーム部分３の中心Ｇ１とクリップ４の挟着部７の中心Ｇ２とが合致するように、アーム部分３の先端部分一体に形成される一方のクリップ片４ａの取り付け部８を図上左方にずらしてある。
上記合成樹脂製バネ６は、高密度カーボネイト樹脂を主体とする複合材料製の合成樹脂で図４及び図５に示すように折り返し部分６ａが厚く先端６ｂになるほど徐々に薄くなる“Ｕ”形に形成するとともに、先端部分の内面には鉤形に突出させた掛合部９が形成されている。
【００１４】
一方、合成樹脂製バネ６が装着されるクリップ片４ａ・４ｂは、図４及び図５に示すように、下端部に衣類等を挟持する挟着部７が形成され、略中央部には上記合成樹脂製バネ６の掛合部９を受け止める受け止め部１０が、他端部には合成樹脂製クリップ４を合成樹脂製バネ６の張力に抗して開き操作する操作部１１がそれぞれ形成されている。
また、クリップ片４ａ・４ｂの操作部１１から受け止め部１０の先端１０ａの近傍位置にかけては飛散防止部１２が形成されるとともに、受け止め部１０の先端部分１０ａとこれに対面する飛散防止部１２の先端１２ａ側部分との間にバネ６の先端部分が挿入される空間１６が形成されている。
【００１５】
操作部１１と挟着部７との中間部分には凹凸からなる支点１３が形成されており、上記両クリップ片４ａ・４ｂの一端に形成される挟着部７にはスポンジ等からなるクッション材１４が貼着されている。
なお、図２に想像線図で示すように上記クッション材１４に代えて連続する山形の凹凸１５で挟着部７を形成したり、図２中に一点鎖線図で示すように位相を上下に変えた突条１８を形成して挟着部７を形成したり、図示は省略したが、突起を点在させて挟着部７を形成したりすることもできる。
また、上記飛散防止部１２は、クリップ片４ａ・４ｂの操作部から合成樹脂製バネ６の掛合部４の近傍位置まで延出されたもので、図５に示すように飛散防止部１２の先端１２ａと受け止め部１０の先端１０ａとはこのクリップ片４ａ・４ｂを成形する成形金型（図示せず）の摺動方向Ｘに直交する方向Ｙで重なり合わないように隙間をもたせてある。
【００１６】
このように、飛散防止部１２の先端１２ａと受け止め部１０の先端１０ａとが方向Ｙで重なり合わないようにすると金型が互いに干渉しないことから、図２に示すように、フック部分２及びアーム部分３と、アーム部分３の先端部分に一方のクリップ片４ａを一体形成し、細い連結片５で連結される他方のクリップ片４ｂを一方のクリップ片４ａの外方に並べた状態のハンガー素材２０を成形することができ、その成形金型も一対で済ませられる。
また、この図２でわかるように、ハンガー素材２０を成形する成形金型は抜き型を使用しないので金型の一面に多くのハンガー素材２０の形を形成ことができる利点もある。
【００１７】
上記のように一対の成形金型で成形されたハンガー素材２０は、これを組立てる場合、先ず、連結片５で連結されている他方のクリップ片４ｂを連結片５部分で折り曲げてアーム部分３と一体に形成された一方のクリップ片４ａに、凹凸からなる支点１３を嵌合させて向かい合わせに対峙させる。
次に、この両クリップ片４ａ・４ｂの受け止め部１０に合成樹脂製のバネ６の掛合部４を掛合させる。
すると、一対のクリップ片４ａ・４ｂは合成樹脂製のバネ６の弾性により挟着部７のクッション材１４の端面同士が圧接する方向に弾性付勢された合成樹脂製クリップ４が設けられたクリップ付きハンガー１が組み立てられる。
【００１８】
こうして組み立てられたクリップ付きハンガー１は、合成樹脂製クリップ４の挟着部７に衣類等を挟持させると、合成樹脂製クリップ４はその全てが合成樹脂で形成してあるので、これを例えば合成樹脂製クリップ４の挟着部７に衣類を吊持させたままで検針用の金属探知器（図示せず）に通すことができるのである。また、こうしてクリップ付きハンガー１を使用する時、時としてクリップ４の合成樹脂製のバネ６がその折り返し部分で折れることがあり、この折れた合成樹脂製のバネ６の破片がその反動で飛散しようとするが、これを飛散防止部１２が受け止めるので、飛散する合成樹脂製バネ６の破片で手や顔を傷ついたりすることを防止することができるのである。
【００１９】
尚、上記の実施の形態では、検針機対応型にするためにバネ６を合成樹脂にしてあるが、例えばディスプレイ専用にする場合のように検針機に対応させないものではバネ６は金属製にすることができるのは勿論である。
また、上記実施の形態における一対のクリップ片４ａ・４ｂを連結している連結片５は組み立てるときに切離したり、根元から切り取ったりすることもできるのはいうまでもないことである。
【００２０】
【発明の効果】
以上に説明したように本発明によれば、中央部分のフックから左右に形成されたアーム部分の両端部に一対の分割体で形成されるクリップの一方のクリップ片をアーム部分と一体形成し、他方のクリップ片が前記一方のクリップ片に連結された状態で成形するとともに、このクリップ片をアーム部分と一体に成形されたクリップ片に組み付けてクリップ付ハンガーを形成するようにしてあるので、アーム部分とクリップ片は一対の金型で成形することができる。
これにより、高価な金型の点数を減らすことができ、そのイニシャルコストを低減することができる利点がある。
【００２１】
更に、成形時にアーム部分と一方のクリップ片が一体に、他方のクリップ片は前記一方のクリップ片に連結された一組のセットの状態で成形され、金型の一面から多くのハンガー素材を成形することができるので、これとバネとの数を合わせれば済み、部品の過不足による生産の停止もなく、連続生産により生産性を向上させることができる利点がある。
【００２２】
しかも、クリップ付きハンガーの組み立ては、アーム部分と一体に形成された一方のクリップ片に他方のクリップ片を対峙させた状態にし、両クリップ片に亙ってバネを装着するだけの簡単な操作で済み、楽に手早くおこなえ、此の点でも生産性を向上させて製造コストを低減することができる利点がある。
【図面の簡単な説明】
【図１】は本発明にかかるクリップ付きハンガーの斜視図である。
【図２】は本発明にかかるクリップ付きハンガーのハンガー素材の斜視図である。
【図３】は本発明にかかるクリップ付きハンガーの側面図である。
【図４】は本発明にかかるクリップ付きハンガーのクリップ部分を縦断した側面図である。
【図５】は本発明にかかるクリップ付きハンガーのクリップ部分を縦断した分解側面図である。
【符号の説明】
１・・・クリップ付きハンガー
２・・・フック
３・・・アーム部分
４・・・クリップ片
５・・・連結片
６・・・合成樹脂製バネ
６ａ・・・合成樹脂製バネの折り返し部
７・・・挟着部
９・・・掛合部
１０・・・受け止め部
１２・・・飛散防止部
【図１】
2004167141.tif 000003
【図２】
2004167141.tif 000004
【図３】
2004167141.tif 000005
【図４】
2004167141.tif 000006
【図５】
2004167141.tif 000007